(57)【要約】【課題】携帯通信端末の紛失に起因する情報漏洩を抑制し、かつ、情報管理における利便性を向上する。【解決手段】図１に本発明の実施形態に係る電話帳管理システムを示す。本システムは、シンクライアント型携帯電話１０とシンクライアントサーバ３０とパーソナルコンピュータ５０とがネットワークを介して通信可能に接続されている。シンクライアントサーバ３０は、シンクライアント型携帯電話１０が使用する電話帳データを格納する電話帳データベース３１と、電話帳データベース３１を操作するための制御部３２とを有する。シンクライアント型携帯電話１０は、電話帳機能を利用する際には電話帳データベース３１から必要な電話帳データをダウンロードするよう要求を送信し、受信した電話帳データを操作表示部１１に表示する。電話帳データベース３１は、パーソナルコンピュータ５０により更新等を行う。【選択図】図１
2009182663.tif 000002
【特許請求の範囲】
【請求項１】
携帯通信端末と電話帳管理サーバと電話帳管理端末とがネットワークを介して通信可能に接続されている電話帳管理システムであって、
前記電話帳管理サーバは、前記携帯通信端末が使用する電話帳データを格納する電話帳データベースと、該電話帳データベースを操作するための制御手段と、を有し、
前記携帯通信端末は、電話帳機能を利用する際に前記電話帳データを前記電話帳管理サーバよりダウンロードする通信手段と、ダウンロードした前記電話帳データに基づいて前記電話帳機能を提供する制御手段と、を有し、
前記電話帳管理端末は、前記電話帳管理サーバの前記電話帳データベースにアクセスしてデータに変更を加える処理をするための処理内容を生成する処理内容生成手段と、生成した前記処理内容を前記電話帳管理サーバに送信する送信手段と、を有し、
前記電話帳管理サーバの制御手段は、送信された前記処理内容に基づき前記電話帳データベースを操作することを特徴とする、電話帳管理システム。
【請求項２】
前記電話帳管理サーバの前記電話帳データベースは、共有することが指定された前記携帯通信端末で使用する共有電話帳を備えることを特徴とする、請求項１記載の電話帳管理システム。
【請求項３】
携帯通信端末及び電話帳管理端末とネットワークを介して通信可能に接続されている電話帳管理サーバであって、
前記携帯通信端末が使用する電話帳データを格納する電話帳データベースと、
該電話帳データベースを操作するための制御手段と、を有し、
前記制御手段は、
前記携帯通信端末から、前記電話帳データのダウンロードの要求を受け取った場合に、受信した通信内容に基づき前記電話帳データベースを操作し、
前記電話帳管理端末から前記電話帳データベースにアクセスしてデータに変更を加える処理をするための処理内容を受信した場合に、前記処理内容に基づき前記電話帳データベースを操作することを特徴とする、電話帳管理サーバ。
【請求項４】
前記電話帳データベースは、共有することが指定された前記携帯通信端末で使用する共有電話帳を備えることを特徴とする、請求項３記載の電話帳管理サーバ。
【請求項５】
携帯通信端末と電話帳管理サーバと電話帳管理端末とがネットワークを介して通信可能に接続されている電話帳管理システムを利用する電話帳管理方法であって、
電話帳管理端末において、前記電話帳管理サーバの有する電話帳データベースにアクセスしてデータに変更を加える処理をするための処理内容を生成する処理内容生成工程と、
生成した前記処理内容を前記電話帳管理サーバに送信する送信工程と、
前記電話帳管理サーバにおいて、受信した前記処理内容に基づき前記電話帳データベースを操作する処理内容実行工程と、
前記携帯通信端末において、電話帳機能を利用する際に前記電話帳データを前記電話帳管理サーバよりダウンロードする通信工程と、
ダウンロードした前記電話帳データに基づいて前記電話帳機能を提供する電話帳機能提供工程と、
を含むことを特徴とする、電話帳管理方法。
【請求項６】
携帯通信端末及び電話帳管理端末とネットワークを介して通信可能に接続されている電話帳管理サーバの制御方法であって、
前記携帯通信端末から、前記携帯通信端末が使用する電話帳データのダウンロードの要求を受け取った場合に、受信した受信内容に基づき、前記電話帳データが格納されている電話帳データベースを操作する携帯通信端末要求処理工程と、
前記電話帳管理端末から前記電話帳データベースにアクセスしてデータに変更を加える処理をするための処理内容を受信した場合に、前記処理内容に基づき前記電話帳データベースを操作する電話帳管理端末処理実行工程と、
を含むことを特徴とする、電話帳管理サーバの制御方法。
【請求項７】
携帯通信端末及び電話帳管理端末とネットワークを介して通信可能に接続されている電話帳管理サーバに、
前記携帯通信端末から、前記携帯通信端末が使用する電話帳データのダウンロードの要求を受け取った場合に、受信した受信内容に基づき、前記電話帳データが格納されている電話帳データベースを操作する携帯通信端末要求処理手順と、
前記電話帳管理端末から前記電話帳データベースにアクセスしてデータに変更を加える処理をするための処理内容を受信した場合に、前記処理内容に基づき前記電話帳データベースを操作する電話帳管理端末処理実行手順と、
を実行させることを特徴とする、電話帳管理プログラム。
【発明の詳細な説明】
【技術分野】
【０００１】
本発明は、電話帳管理システム、サーバ、方法、電話帳管理サーバの制御方法及び電話帳管理プログラムに関し、特に、電話帳を好適に管理する技術に関する。
【背景技術】
【０００２】
従来の携帯通信端末（以下、主に「携帯電話」として記載する。ただし、これは限定するものではなく単なる例示である。）では、電話帳データを携帯電話本体に保存していたため、携帯電話の紛失は重大な情報漏洩に繋がる可能性が非常に高かった。一方で、携帯電話は持ち運ぶことが前提であり、かつ、近年はコンパクト化が進んでいるため、非常に紛失しやすいのが実情である。したがって、例えば、法人契約にて携帯電話を購入している企業や団体等では、携帯電話の紛失に起因する情報漏洩への対策のニーズが高い。
【０００３】
情報漏洩への対策を直接の課題とはしていないが、特許文献１は、例えば、段落０００１，０００３，０００４，００１１，００１２，００５７，図１，図７，図９等を参照すると、シンクライアント端末と、シンクライアント端末のユーザが所望するアプリケーションを実行するシンクライアントサーバと、を含むシンクライアントシステムを開示する。なお、特許文献１には、段落００５６に「安全なリモートオフィス環境を実現する」旨の効果の記載がある。
【０００４】
また、他に例えば、特許文献２に記載の技術がある。特許文献２の例えば、段落０００３−０００５，００１８等を参照すると、シンクライアントサーバ上で実行されたアプリケーションの実行結果をシンクライアント端末の表示部で表示することを内容とする技術が開示されている。
【特許文献１】特開２００６−２５４４１１号公報
【特許文献２】特開２００４−３４８３８０号公報
【発明の開示】
【発明が解決しようとする課題】
【０００５】
しかしながら、上記特許文献においては、上述の携帯電話の紛失に起因する情報漏洩への対策という課題とは別に、情報管理における利便性の向上という課題については考慮されていなかった。
【０００６】
そこで本発明は、上記実情に鑑みて、携帯通信端末の紛失に起因する情報漏洩を抑制し、かつ、情報管理における利便性を向上することを目的とする。
【課題を解決するための手段】
【０００７】
上記目的を達成するために本発明は、次のような構成を特徴とすることとする。
【０００８】
本発明に係る電話帳管理システムは、携帯通信端末と電話帳管理サーバと電話帳管理端末とがネットワークを介して通信可能に接続されている電話帳管理システムであって、前記電話帳管理サーバは、前記携帯通信端末が使用する電話帳データを格納する電話帳データベースと、該電話帳データベースを操作するための制御手段と、を有し、前記携帯通信端末は、電話帳機能を利用する際に前記電話帳データを前記電話帳管理サーバよりダウンロードする通信手段と、ダウンロードした前記電話帳データに基づいて前記電話帳機能を提供する制御手段と、を有し、前記電話帳管理端末は、前記電話帳管理サーバの前記電話帳データベースにアクセスしてデータに変更を加える処理をするための処理内容を生成する処理内容生成手段と、生成した前記処理内容を前記電話帳管理サーバに送信する送信手段と、を有し、前記電話帳管理サーバの制御手段は、送信された前記処理内容に基づき前記電話帳データベースを操作することを特徴とする。
【０００９】
また、本発明に係る電話帳管理システムにおいて、前記電話帳管理サーバの前記電話帳データベースは、共有することが指定された前記携帯通信端末で使用する共有電話帳を備えることを特徴とする。
【００１０】
本発明に係る電話帳管理サーバは、携帯通信端末及び電話帳管理端末とネットワークを介して通信可能に接続されている電話帳管理サーバであって、前記携帯通信端末が使用する電話帳データを格納する電話帳データベースと、該電話帳データベースを操作するための制御手段と、を有し、前記制御手段は、前記携帯通信端末から、前記電話帳データのダウンロードの要求を受け取った場合に、受信した通信内容に基づき前記電話帳データベースを操作し、前記電話帳管理端末から前記電話帳データベースにアクセスしてデータに変更を加える処理をするための処理内容を受信した場合に、前記処理内容に基づき前記電話帳データベースを操作することを特徴とする。
【００１１】
また、本発明に係る電話帳管理サーバにおいて、前記電話帳データベースは、共有することが指定された前記携帯通信端末で使用する共有電話帳を備えることを特徴とする。
【００１２】
本発明に係る電話帳管理方法は、携帯通信端末と電話帳管理サーバと電話帳管理端末とがネットワークを介して通信可能に接続されている電話帳管理システムを利用する電話帳管理方法であって、電話帳管理端末において、前記電話帳管理サーバの有する電話帳データベースにアクセスしてデータに変更を加える処理をするための処理内容を生成する処理内容生成工程と、生成した前記処理内容を前記電話帳管理サーバに送信する送信工程と、前記電話帳管理サーバにおいて、受信した前記処理内容に基づき前記電話帳データベースを操作する処理内容実行工程と、前記携帯通信端末において、電話帳機能を利用する際に前記電話帳データを前記電話帳管理サーバよりダウンロードする通信工程と、ダウンロードした前記電話帳データに基づいて前記電話帳機能を提供する電話帳機能提供工程と、を含むことを特徴とする。
【００１３】
本発明に係る電話帳管理サーバの制御方法は、携帯通信端末及び電話帳管理端末とネットワークを介して通信可能に接続されている電話帳管理サーバの制御方法であって、前記携帯通信端末から、前記携帯通信端末が使用する電話帳データのダウンロードの要求を受け取った場合に、受信した受信内容に基づき、前記電話帳データが格納されている電話帳データベースを操作する携帯通信端末要求処理工程と、前記電話帳管理端末から前記電話帳データベースにアクセスしてデータに変更を加える処理をするための処理内容を受信した場合に、前記処理内容に基づき前記電話帳データベースを操作する電話帳管理端末処理実行工程と、を含むことを特徴とする。
【００１４】
本発明に係る電話帳管理プログラムは、携帯通信端末及び電話帳管理端末とネットワークを介して通信可能に接続されている電話帳管理サーバに、前記携帯通信端末から、前記携帯通信端末が使用する電話帳データのダウンロードの要求を受け取った場合に、受信した受信内容に基づき、前記電話帳データが格納されている電話帳データベースを操作する携帯通信端末要求処理手順と、前記電話帳管理端末から前記電話帳データベースにアクセスしてデータに変更を加える処理をするための処理内容を受信した場合に、前記処理内容に基づき前記電話帳データベースを操作する電話帳管理端末処理実行手順と、を実行させることを特徴とする。
【発明の効果】
【００１５】
本発明によれば、携帯通信端末の紛失に起因する情報漏洩を抑制し、かつ、情報管理における利便性を向上することが可能となる。
【発明を実施するための最良の形態】
【００１６】
以下、本発明の好適な実施の形態について図面を参照して説明する。
【００１７】
図１を参照すると、本実施形態に係る電話帳管理システムの構成が示されている。図１に示すように、本実施形態に係る電話帳管理システムは、シンクライアント型携帯電話１０と、シンクライアントサーバ３０と、パーソナルコンピュータ５０を備えて構成されている。
【００１８】
シンクライアント型携帯電話１０とシンクライアントサーバ３０は、携帯電話の無線ネットワーク２０を介して相互に接続されている。また、シンクライアントサーバ３０とパーソナルコンピュータ５０は、イントラネット等のネットワーク４０を介して相互に接続されている。
【００１９】
シンクライアント型携帯電話１０は、シンクライアントサーバ３０へアクセスし、電話帳データを画面に表示する機能を備えている。電話帳データとしては、例えば、名前、電話番号、メールアドレス等の情報がある。また、電話帳データの登録や、登録したデータの検索、閲覧などの操作は、シンクライアント型携帯電話１０で行うが、電話帳のアプリケーション自体はシンクライアントサーバ３０の上で実行されており、シンクライアント型携帯電話１０は、その実行結果の画面のみを表示する。
【００２０】
上記機能を実現するために、シンクライアント型携帯電話１０は、操作表示部１１と制御部１２と無線通信部１３とを備える。操作表示部１１は、シンクライアント型携帯電話１０の操作者による電話帳データ閲覧動作のための操作入力を受け付けたり、シンクライアントサーバから送出された電話帳データを表示したりする、操作者へのユーザインタフェースである。制御部１２は、シンクライアント型携帯電話１０の全体を制御する制御装置である。無線通信部１３は、シンクライアントサーバ３０の通信部３３と携帯電話の無線ネットワーク２０を介して通信可能に接続するためのデバイスである。
【００２１】
シンクライアントサーバ３０は、ワークステーション・サーバ等の情報処理装置であり、シンクライアント型携帯電話１０からの操作により電話帳のアプリケーションを実行し、その実行結果を、無線ネットワーク２０を介してシンクライアント型携帯電話１０へ送信する機能を備えている。当該機能を実現するために、シンクライアントサーバ３０は、電話帳データベース３１と制御部３２と通信部３３とを備える。
【００２２】
電話帳データベース３１は、シンクライアント型携帯電話１０の操作者がシンクライアント型携帯電話１０を用いて利用するための電話帳データが格納されているデータベースである。電話帳データベース３１は、制御部３２が起動させる電話帳アプリケーションにより、電話帳データの閲覧や編集といった操作を受ける。
【００２３】
シンクライアントサーバ３０の制御部３２は、シンクライアントサーバ３０の全体を制御する。制御部３２は、通信部３３によって得た通信内容を解釈して、処理を実行する。実行する処理には、電話帳アプリケーションの起動が含まれる。通信部３３は、シンクライアント型携帯電話１０の無線通信部１３と携帯電話の無線ネットワーク２０を介して通信可能に接続する機能や、パーソナルコンピュータ５０の通信部５３とネットワーク４０を介して通信可能に接続する機能を有する。
【００２４】
パーソナルコンピュータ５０は、シンクライアントサーバ３０にアクセスし、電話帳データを閲覧したり更新したりする機能を備えている。当該機能を実現するために、パーソナルコンピュータ５０は、操作表示部５１と制御部５２と通信部５３とを備える。
【００２５】
パーソナルコンピュータ５０の操作表示部５１は、シンクライアント型携帯電話１０の操作表示部１１と同様、パーソナルコンピュータ５０の操作者（シンクライアント型携帯電話１０の操作者と紛らわしいため、以下、「電話帳管理者」という）へのユーザインタフェースであるが、シンクライアント型携帯電話１０の操作表示部１１と比べてリッチなインタフェースであることが好ましい。操作手段としては、例えば、キーボードを利用する。表示手段としては、例えば、シンクライアント型携帯電話１０の画面より大きな表示装置を利用する。このように構成することによって利便性が向上する。
【００２６】
パーソナルコンピュータ５０の制御部５２は、シンクライアント型携帯電話１０の制御部１２と同様、パーソナルコンピュータ５０の全体を制御する制御装置である。パーソナルコンピュータ５０の通信部５３は、シンクライアント型携帯電話１０の無線通信部１３と同様、パーソナルコンピュータ５０がシンクライアントサーバ３０とネットワーク４０を介して通信可能に接続するための機能を有する。
【００２７】
次に、図２と図３を参照して、本実施形態の動作を説明する。図２は、本実施形態の電話帳データ閲覧動作を示すフローチャートである。図３は、本実施形態の電話帳データ編集動作を示すフローチャートである。まず、電話帳データ閲覧動作を説明する。
【００２８】
図２において、操作者が電話帳データを閲覧する操作を開始すると、シンクライアント型携帯電話１０は、シンクライアントサーバ３０にアクセスする。具体的には、ステップＳ１０１，Ｓ１０２で示されている。シンクライアント型携帯電話１０の制御部１２は、操作者による操作表示部１１の操作入力（例えば、ボタン操作により電話帳の参照の実行命令）を受け付ける（ステップＳ１０１）。制御部１２は、受け付けた操作入力を解釈して処理の内容を決定し、無線通信部１３に渡し、無線通信部１３は、当該処理内容をシンクライアントサーバ３０の通信部３３に向けて送信する（ステップＳ１０２）。
【００２９】
これに応答して、シンクライアントサーバ３０は、電話帳のアプリケーションを実行して処理を行い、その処理結果をシンクライアント型携帯電話１０に送信する。具体的には、ステップＳ１０３ないしＳ１０５で示されている。シンクライアントサーバ３０の通信部３３は、送信された処理内容を受信し、制御部３２に渡す（ステップＳ１０３）。制御部３２は、電話帳アプリケーションにおいて、渡された処理内容を実行する（ステップＳ１０４）。ここで、制御部３２は、処理内容が渡された時点で電話帳アプリケーションを起動してもよいが、あらかじめ電話帳アプリケーションを起動させておく方が高速な処理実行を実現するという観点からは有利である。
【００３０】
処理内容の実行は、電話帳アプリケーションが制御部３２を用いて電話帳データベース３１にアクセスすることによって行う。なお、本動作においては、データベースの閲覧を目的とするが、操作者による操作入力が電話帳データの編集（追加や削除を含むものとする）の実行命令である場合は、その処理を行う。処理結果は、シンクライアントサーバ３０の通信部３３がシンクライアント型携帯電話１０へ送信する（ステップＳ１０５）。
【００３１】
シンクライアント型携帯電話１０の無線通信部１３は、シンクライアントサーバ３０での電話帳アプリケーションの実行結果を受信し（ステップＳ１０６）、制御部１２は、これに基づいて操作者に提示する画面を構成し、操作表示部１１を用いて表示する（ステップＳ１０７）。
【００３２】
以上のように構成され、動作する本実施形態によれば、携帯通信端末として機能するシンクライアント型携帯電話１０では電話帳データベースないしアプリケーションを保持することなく、電話帳機能を利用することができる。したがって、操作者は、シンクライアント型携帯電話１０を紛失した場合でも、電話帳のデータはシンクライアント型携帯電話１０本体には保存されていないため、情報漏洩を防ぐことができる一方、電話帳機能を利用するという利便性は失われない。さらには、電話帳データはシンクライアントサーバ３０上に保存されているため、携帯電話の機種を変更する際に、電話帳を移行するという作業が発生することもない。
【００３３】
次に、電話帳データ編集動作を説明する。図３において、パーソナルコンピュータ５０は、シンクライアントサーバ３０で保持している電話帳データを操作表示部５１に表示し（ステップＳ２０１ないしステップＳ２０３）、その内容を閲覧、編集する（ステップＳ２０４）。ステップＳ２０４において、パーソナルコンピュータ５０の制御部５２は、電話帳管理者による操作表示部５１の操作により、電話帳データの編集を受け付け、編集内容として通信部５３に渡す。
【００３４】
通信部５３は、編集内容をシンクライアントサーバ３０に送信し（ステップＳ２０５）、シンクライアントサーバ３０の通信部３３は、編集内容を受信した上で（ステップＳ２０６）、制御部３２が編集内容の実行、すなわち、電話帳データの更新を行う（ステップＳ２０７）。
【００３５】
以上のように構成され、動作する本実施形態によれば、電話帳管理端末として機能するパーソナルコンピュータ５０からシンクライアントサーバ３０の電話帳データにアクセスして電話帳データの編集等の電話帳管理ができるので、利便性が向上する。当該効果は、キーボードで編集作業ができるよう構成する、あるいは、携帯電話の画面よりも大きな画面で編集作業ができるよう構成すると、さらに効果的である。
【００３６】
上述した本実施形態についてもう一度まとめて説明する。図１に示した本実施形態の電話帳管理システムは、シンクライアント型携帯電話１０とシンクライアントサーバ３０とパーソナルコンピュータ５０とがネットワークを介して通信可能に接続されている。シンクライアントサーバ３０は、シンクライアント型携帯電話１０が使用する電話帳データを格納する電話帳データベース３１と、電話帳データベース３１を操作するための制御部３２とを有する。シンクライアント型携帯電話１０は、電話帳機能を利用する際には電話帳データベース３１から必要な電話帳データをダウンロードするよう要求を送信し、受信した電話帳データを操作表示部１１に表示する。電話帳データベース３１は、パーソナルコンピュータ５０により更新等を行う。サーバ側に電話帳データを保持しているため、携帯通信端末の紛失に起因する情報漏洩を抑制することができる。また、携帯通信端末より操作性のよいパーソナルコンピュータにより更新等を行うので、情報管理における利便性が向上する。
【００３７】
以上、本発明の好適な実施の形態について説明したが、本発明はこれに限定されるものではなく、要旨を逸脱しない範囲内で種々の変形実施が可能である。例えば、上記実施形態においては、シンクライアント型携帯電話１０の台数を、１台又は複数台のどちらにも特に限定はせずに説明したが、シンクライアント型携帯電話１０が複数台、携帯電話の無線ネットワーク２０に接続し、いくつかの端末の間で電話帳の共有設定をすることとしてもよい。
【００３８】
図４を参照すると、当該変形実施形態における特徴の一つである電話帳データベース３１が格納する情報の構成が示されている。図４において、電話帳データベース３１は、ユーザ毎にそれぞれ電話帳データを格納した電話帳に加え、共有するユーザの指定がなされた共有電話帳を有する。共有電話帳は、指定されたユーザ間で電話帳データを共有する。
【００３９】
共有電話帳を共有するユーザの指定は、電話帳管理者が、電話帳管理端末として機能する図１のパーソナルコンピュータ５０を操作することによって行う。指定されたユーザは、自分の操作するシンクライアント型携帯電話１０を用いて、シンクライアントサーバ３０上の電話帳データベース３１に格納されている、自分の電話帳に加えて、共有電話帳も利用することができる。また、共有電話帳の作成は、電話帳管理者が、電話帳管理端末として機能する図１のパーソナルコンピュータ５０を操作することによって行う。既存の電話帳を共有することとして作成してもよいし、新しく共有電話帳を作成してもよい。
【００４０】
以上のように構成され、動作する本変形実施形態によれば、電話帳共有機能が実現し、複数端末間の電話帳の一元管理が可能になる。したがって、個々の端末での電話帳データの登録作業が不要になり、登録作業の煩わしさや費やす時間の軽減が可能になる。また、共有している端末間では、常に最新の情報が共有され、個々の端末における情報の差異がなくなるという効果も有する。
【産業上の利用可能性】
【００４１】
本発明は、情報漏洩対策が必要で、法人契約にて携帯電話を購入している企業や団体等が利用する電話帳管理システムに適用することができる。
【図面の簡単な説明】
【００４２】
【図１】本発明の実施の形態に係る電話帳管理システムの構成を示すブロック図である。
【図２】本発明の実施の形態に係る電話帳管理システムの電話帳データ閲覧動作を示すフローチャートである。
【図３】本発明の実施の形態に係る電話帳管理システムの電話帳データ編集動作を示すフローチャートである。
【図４】本発明の実施の形態の変形例を説明するための図である。
【符号の説明】
【００４３】
１０    シンクライアント型携帯電話
１１    操作表示部
１２    制御部
１３    無線通信部
２０    無線ネットワーク
３０    シンクライアントサーバ
３１    電話帳データベース（ＤＢ）
３２    制御部
３３    通信部
４０    ネットワーク
５０    パーソナルコンピュータ
５１    操作表示部
５２    制御部
５３    通信部
【図１】
2009182663.tif 000003
【図２】
2009182663.tif 000004
【図３】
2009182663.tif 000005
【図４】
2009182663.tif 000006